(57)【要約】【課題】本発明の課題は、繰り出しジャー機構からなる容器であって、中味を取り出し易くすると共に、取出し孔付近に取り残し中味が付着しにくい形状とした粘性流体物質用容器を提供することである。【解決手段】粘性流体物質を分配する容器であって、容器本体の上面付近に中味を取出すための取出し孔を形成し、この取出し孔形成部を囲むように凹曲面部を形成し、この凹曲面部の凹曲面の曲率半径が５〜１８ｍｍの円周であって、幅寸法１４〜１７ｍｍ、高さ寸法２〜５ｍｍとしたことを特徴とする粘性流体物質用容器である。【選択図】図４
2008044618.tif 000002
【特許請求の範囲】
【請求項１】
粘性流体物質を分配する容器であって、容器本体の上面付近に中味を取出すための取出し孔を形成し、この取出し孔形成部を囲むように凹曲面部を形成し、この凹曲面部の凹曲面の曲率半径が５〜１８ｍｍの円周であって、幅寸法１４〜１７ｍｍ、高さ寸法２〜５ｍｍとしたことを特徴とする粘性流体物質用容器。
【請求項２】
繰り出しジャー機構を備えてなる請求項１記載の粘性流体物質用容器。
【請求項３】
前記凹曲面部は、人差し指の指先腹面がフィットする形状に形成されていることを特徴とする請求項１又は２記載の粘性流体物質用容器。
【請求項４】
前記凹曲面部の縁部と、容器本体上面部の境界部に、液切れ段部を形成したことを特徴とする請求項１乃至３のいずれかに記載の粘性流体物質用容器。
【請求項５】
容器本体上面が、断面凸隆起形状となるように形成されていることを特徴とする請求項１乃至４のいずれかに記載の粘性流体物質用容器。
【請求項６】
曲率半径の異なる凹曲面部を複数備えてなることを特徴とする請求項１乃至５のいずれかに記載の粘性流体物質用容器。
【発明の詳細な説明】
【技術分野】
【０００１】
本発明は、ある程度の粘性を有する粘性流体からなる中味を、容器の取出し孔から分配する容器形態において、その取出し孔付近に中味が残ってしまうのを防止して容器を清潔に保つことができ、かつ中味の取出しを簡単に行えるようにした粘性流体物質用容器に関する。
【背景技術】
【０００２】
従来より、ある程度の粘性を有する流体、例えばクリーム、リキッドファンデーション、ヘアーワックス、乳液、ジェル状口紅、シャンプー、糊、軟膏等の粘性流体中味を収納する容器として、広口瓶、チューブ、ディスペンサー容器などが一般的に知られており、さらには繰り出しジャー機構を設けた容器の形態なども提案されている。
【特許文献１】特開平８−２２９４６１号公報
【発明の開示】
【発明が解決しようとする課題】
【０００３】
広口瓶の場合には、内容量が少なくなってくると容器内に指を差し込んで中味をすくい出す使い方になり、指先に付着した雑菌などが容器内の中味と広い範囲で接触し、不衛生になりやすいという問題点があった。
また繰り出しジャー機構を備えた容器の場合は、分配口（容器の中味取り出し口）となる取出し孔を、容器の上面に形成しているが、その取出し孔形成面付近は、平滑面又は膨隆面としていることが多かった。
【０００４】
この取出し孔形成面付近をわずかに凹面状を呈するように形成するものも見られるが、その場合といえども、取出し孔形成面の凹面はゆるい円弧面であるので、指先腹面と取出し孔とのフィット性が十分ではなく、その結果取出し孔付近に取り残し中味が付着して不衛生になりやすいという問題が発生していた。
【０００５】
本発明は、繰り出しジャー機構からなる容器であって、中味を取り出し易くすると共に、取出し孔付近に取り残し中味が付着しにくい形状とした粘性流体物質用容器を提供せんとするものである。
【課題を解決するための手段】
【０００６】
本発明に係る粘性流体物質用容器の請求項１のものは、粘性流体物質を分配する容器であって、容器本体の上面付近に中味を取出すための取出し孔を形成し、この取出し孔形成部を囲むように凹曲面部を形成し、この凹曲面部の凹曲面の曲率半径が５〜１８ｍｍの円周であって、幅寸法１４〜１７ｍｍ、高さ寸法２〜５ｍｍとしたことを特徴とするものである。
【０００７】
また請求項２は、繰り出しジャー機構を備えてなるものである。
【０００８】
また請求項３は、前記凹曲面部は、人差し指の指先腹面がフィットする形状に形成されていることを特徴とするものである。
【０００９】
さらに請求項４は、前記凹曲面部の縁部と、容器本体上面部の境界部に、液切れ段部を形成したことを特徴とするものである。
【００１０】
請求項５は、容器本体上面が、断面凸隆起形状となるように形成されていることを特徴とするものである。
【００１１】
請求項６は、曲率半径の異なる凹曲面部を複数備えてなることを特徴とするものである。
【発明の効果】
【００１２】
本発明に係る粘性流体物質用容器は、取出し孔付近の形状が指の形にフィットするように工夫されているので、取出し孔付近に中味残りが発生しにくく、指先と容器間の液切れも良く、使用者にとって気持ち良く使え、中身残りの大幅な削減ができるという効果がある。
【発明を実施するための最良の形態】
【００１３】
以下、図面を参照して本発明の粘性流体物質用容器の実施の形態を説明する。
図１は本発明の粘性流体物質用容器の開蓋状態の正面図、図２は同右側面図、図３は同平面図、図４は前図のＡ−Ａ線縦断面図、図５は同Ｂ−Ｂ線縦断面図、図６は他の実施例の開蓋状態の正面図、図７は同右側面図、図８は同平面図、図９は前図のＣ−Ｃ線縦断面図、図１０は同Ｄ−Ｄ線縦断面図、図１１は曲率半径の内容を説明する図面、図１２は複数の凹曲面部を組み合わせた状況を説明する図面である。
【００１４】
図１乃至図５に示す本発明に係る粘性流体物質用容器１は、中味（リキッドファンデーション）３０ｍｌ程度を収納する容量の容器であって、この粘性流体物質用容器１の内部には、外周に中皿２を螺着したネジ軸３が配置され、このネジ軸３を回転させることにより容器内の中皿２を上下方向に摺動させて、本件容器１内に収納した中味（リキッドファンデーション）を容器上面７の取出し孔４より押し出し可能にしている。図中の符号８は、キャップ用のネジ部である。
【００１５】
粘性流体物質用容器１の下部には、底部材５が回転自在に配置されていて、前記ネジ軸３の回転はこの底部材５を回転させて行い、このネジ軸３の回転により中皿２にて押し上げられた中味が取出し孔４より押し出されることになる。
また粘性流体物質用容器１の容器上面７には、取出し孔４を囲むように、緩やかな陥没状を呈する凹曲面部６が形成され、この凹曲面部６は指の形にフィットするように形成されている。
【００１６】
すなわち本発明における凹曲面部６は、曲率半径５〜１８ｍｍの円周であって、幅寸法ｗが１４〜１７ｍｍ、高さ寸法ｈが２〜５ｍｍであることが好ましい（図１１参照）。
ここで曲率半径とは、丸みを形成する円弧の半径のことである。
またこの凹曲面部６は、曲率半径の異なるものを複数組み合わせるように形成することも可能である（図１２参照）。
【００１７】
容器上面７の全体を断面形状が凸隆起形状となし、その中央付近に凹曲面部６を形成し、その凹曲面部６を直線方向に伸びる状態に形成することにより、凹曲面部６が指の通りを直線的にガイドするようになり、スムーズな指先での中味掬い取り操作が可能となる。
【００１８】
本発明の粘性流体物質用容器１は、その内部に繰り出しジャー機構を備えるようにしてあるので使い勝手が向上する。
この繰り出しジャー機構としては、従来よりスティック糊の容器などで採用されている構造が一例であるが、その構造に特に制限は付されない。
【００１９】
図６乃至図１０に示す他の実施例に係る粘性流体物質用容器１は、取出し孔４の形状及び凹曲面部６の形状を変化させたものであるが、他の構成は前記実施例と同様である。
【産業上の利用可能性】
【００２０】
本発明によれば、ある程度の粘性を有する粘性流体を取り扱う分野で利用可能である。
【図面の簡単な説明】
【００２１】
【図１】本発明の粘性流体物質用容器の開蓋状態の正面図である。
【図２】同右側面図である。
【図３】同平面図である。
【図４】前図のＡ−Ａ線縦断面図である。
【図５】同Ｂ−Ｂ線縦断面図である。
【図６】他の実施例の開蓋状態の正面図である。
【図７】同右側面図である。
【図８】同平面図である。
【図９】前図のＣ−Ｃ線縦断面図である。
【図１０】同Ｄ−Ｄ線縦断面図である。
【図１１】曲率半径の内容を説明する図面である。
【図１２】複数の凹曲面部を組み合わせた状況を説明する図面である。
【符号の説明】
【００２２】
１    粘性流体物質用容器
２    中皿
３    ネジ軸
４    取出し孔
５    底部材
６    凹曲面部
７    容器上面
８    キャップ用ネジ部
ｗ    円弧の幅寸法
ｈ    円弧の高さ寸法
【図１】
2008044618.tif 000003
【図２】
2008044618.tif 000004
【図３】
2008044618.tif 000005
【図４】
2008044618.tif 000006
【図５】
2008044618.tif 000007
【図６】
2008044618.tif 000008
【図７】
2008044618.tif 000009
【図８】
2008044618.tif 000010
【図９】
2008044618.tif 000011
【図１０】
2008044618.tif 000012
【図１１】
2008044618.tif 000013
【図１２】
2008044618.tif 000014